(57)【要約】      （修正有）【課題】安全自動廃棄式採血器の提供。【解決手段】芯棒、ゴム栓、外カバー、外カバー密封栓、針台、針管、安全スリーブ、凝血阻害剤貯蔵管及び針管保護カバーを含む。ゴム栓は芯棒の第二端に組み合わされ、二つの部品は外カバーの内腔に設置される。外カバー密封栓は外カバーの第二端に回転設置され、針管は針台の挿針孔に組合せ後、外カバーの第二端に設置され、安全スリーブは外カバーの筒壁外に組み合わせる。凝血阻害剤貯蔵管は針管保護カバーの内腔底部に設置され、２個の部品は針台上に嵌設される。安全装置の部品は取り外し後、再び外カバーに設置不能で、こうして自動廃棄の機能を達成し、再使用の可能性を杜絶する。【選択図】図１
0003129186.tif 000002
【実用新案登録請求の範囲】
【請求項１】
芯棒、ゴム栓、外カバー、外カバー密封栓、針台、針管、安全スリーブ、凝血阻害剤貯蔵管及び針管保護カバーを含み、
該芯棒は相対する両端に位置する第一端と第二端を備え、
該ゴム栓は該芯棒の第二端に組み合わされ、
該外カバーは軸方向に延伸する管体を備え、該管体は相対する両端に位置する第一端と第二端を備え、該第一端は該第二端に向かい一定の深度延伸し、該ゴム栓と緊密に対応する内空間を形成し、該第二端は該内空間と相互に通じる中空管及び該中空管周囲を包覆する円柱状リング体を備え、該円柱状リング体の内径には内ネジヤマ凸体を設置し、
該外カバー密封栓は相対する両端に位置する第一端と第二端を備え、該第一端は該第二端に向かい軸方向に一定の深度延伸し、該外カバーの中空管に対応する内孔を形成し、該第二端には錘孔を設置し、該錘孔と該内孔の間は密封孔により連接し、外力の作用を受けていない状態では、該密封孔は該外カバー密封栓そのものの弾性により封鎖し、該外カバー密封栓の外径表面には該外カバーの内ネジヤマ凸体に組み合わせることができる螺旋凹槽を設置し、
該針台は相対する両端に位置する第一端と第二端を備え、該第一端は該第二端に向かい一定の深度延伸し、該外カバー密封栓の外径に対応する内腔を形成し、該第二端には該内腔と相互に通じる挿針孔を設置し、該針台の外径表面には複数の凹型導向管を設置し、上縦方向導向槽の横方向導向槽に連接し、該横方向導向槽の下縦方向導向槽に連接し、該針台の外径表面には凸ブロックを設置し、
該針管は該針台の挿針孔と該外カバー密封栓の密封孔の組合せに用い、
該安全スリーブは軸方向に一定の長さ延伸し、第一端と第二端を備える管体で、該管体は該第一端から第二端まで貫通する貫通孔を備え、該安全スリーブの貫通孔内径壁面には該第一端エッジから第二端に向かい延伸する導向槽を設置し、該安全スリーブの貫通孔の内壁面には軸方向に延伸し、かつ該針台の凸ブロックを導引可能な縦方向凹槽を設置し、しかも該縦方向凹槽と該導向槽は通じるが、該縦方向凹槽と該導向槽は深度が異なるため、両者間には階級を形成し、該縦方向凹槽は該第一端の端部に向かい穿孔を設置し、該穿孔内には該貫通孔中心方向に向かって突出する弾力片を設置し、該安全スリーブの第二端周囲には中心方向に向かい突出する内凸台を設置し、該内凸台が形成する内径は該針台の該各凸ブロックが構成する外径より小さく、
該針管保護カバーは軸方向に一定の長さ延伸し、第一端と第二端を備える管体で、該第一端は該第二端に向かい軸方向に一定の深度延伸し、内腔を形成し、該第一端には該針台外径に対応する凹孔を設置し、
該凝血阻害剤貯蔵管は該針管保護カバーの内腔底部に設置されることを特徴とする安全自動廃棄式採血器。
【請求項２】
請求項１記載の安全自動廃棄式採血器において、前記芯棒の該第二端に近い位置には外径から中心へと延伸する複数の切槽を設置し、該切槽から該芯棒を折ることができることを特徴とする安全自動廃棄式採血器。
【請求項３】
請求項１記載の安全自動廃棄式採血器において、前記外カバーの中空管の自由端には軸方向に一定の長さ延伸する錘状部を備えることを特徴とする安全自動廃棄式採血器。
【請求項４】
請求項３記載の安全自動廃棄式採血器において、前記外カバーの円柱状リング体の外径表面には外凸リングを設置し、第一端に近い内径表面には内環状体凸台を設置することを特徴とする安全自動廃棄式採血器。
【請求項５】
請求項１記載の安全自動廃棄式採血器において、前記外カバー密封栓の第二端には外錘面を設置することを特徴とする安全自動廃棄式採血器。
【請求項６】
請求項５記載の安全自動廃棄式採血器において、前記外カバー密封栓の内孔は第一端から第二端に向かい一定の長さの内円筒面を延伸後、該内円筒面において内錘面を連接することを特徴とする安全自動廃棄式採血器。
【請求項７】
請求項１記載の安全自動廃棄式採血器において、前記針台の凹型導向台と該上縦方向導向槽はY形状に連接し、しかも該上縦方向導向槽、該横方向導向槽、該下縦方向導向槽は≡形状に連接することを特徴とする安全自動廃棄式採血器。
【請求項８】
請求項７記載の安全自動廃棄式採血器において、前記挿針孔の外径表面と該針台本体の第二端との間には複数の翼片を連接することを特徴とする安全自動廃棄式採血器。
【請求項９】
請求項８記載の安全自動廃棄式採血器において、前記針台の内腔は第一端に位置する下端内壁、第二端に位置する上端内壁を設置し、該下端内壁の内径は該上端内壁の内径より大きく、しかも該下端内壁の表面には該外カバーの外凸リングと嵌合する環状凹槽を設置することを特徴とする安全自動廃棄式採血器。
【請求項１０】
請求項１記載の安全自動廃棄式採血器において、前記安全スリーブ第一端の貫通孔内径壁面には導向斜面を形成することを特徴とする安全自動廃棄式採血器。
【請求項１１】
請求項３記載の安全自動廃棄式採血器において、前記管体の第一端に近い外径表面には凸リングを設置し、しかも該安全スリーブの貫通孔内径壁面には該凸リングと相互に嵌合可能な環状凹槽を設置することを特徴とする安全自動廃棄式採血器。
【請求項１２】
請求項１記載の安全自動廃棄式採血器において、前記針管保護カバーの第二端には該内腔と相互に通じる空気孔を設置することを特徴とする安全自動廃棄式採血器。
【請求項１３】
請求項１２記載の安全自動廃棄式採血器において、前記針管保護カバーの凹孔と該内腔の連接位置の周辺には導角を形成することを特徴とする安全自動廃棄式採血器。
【考案の詳細な説明】
【技術分野】
【０００１】
本考案は一種の安全自動廃棄式採血器に関する。特に一種の針管を備え人体の血液を吸入する採血器に係る。
【背景技術】
【０００２】
一般の医療用採血器と注射器は大部分が共通の構造を備えている。すなわち共に外カバー、該外カバー端部に組み合わせる針管、及び該外カバー内空間に組み合わせる芯棒とゴム栓を含む。該ゴム栓は該芯棒に従い該外カバー内腔において軸方向に移動する時、血液或いは薬液などの流体を該針管から吸入、或いは該外カバーの内空間に排出する。採血器においては、凝血阻害剤を該外カバー内の装置に充填する必要があり、これにより該外カバー内に吸入された血液の凝固を防ぐ。
【０００３】
かつての採血器は安全防護装置を備えなかったため、医療看護人員が針で刺されるなど感染する事例が少なくなかった。そのため、現在の新設計の採血器の多くは刺傷を防止する安全装置を備えている。
しかし、現在国際的に使用されている安全装置を備えた採血器はみな付属部品を対応させているため使用時に不便である。しかも、該採血器は自動廃棄機能を備えないため、悪徳な医療機関や医療器材業者などが回収し再使用してしまう恐れもある。これでは、患者と医療看護人員の二次感染の危険を拡大してしまう。
【考案の開示】
【考案が解決しようとする課題】
【０００４】
主に安全自動廃棄式採血器を提供し、それは使用の過程において、針管保護カバーの取り外しから採血の完了まで、該針管を抜く各プロセスにおいて、それぞれすべて自動廃棄方式で部品を取外し、また該部品は取り外し後、再び組み合わせ不能で、こうして自動廃棄の機能を達成し、再使用の可能性を杜絶し、
さらに採血完了後は、安全装置により該針管を収蔵し、医療看護人員が針により刺傷し感染する恐れを払拭する。
【０００５】
すなわちそれは芯棒、ゴム栓、外カバー、外カバー密封栓、針台、針管、安全スリーブ、凝血阻害剤貯蔵管及び針管保護カバーを含み、
該ゴム栓は該芯棒の第二端に組み合わされ、二つの部品は該外カバーの内腔に設置され、該外カバー密封栓は該外カバーの第二端に回転設置され、
該針管は該針台の挿針孔に組合せ後、該外カバーの第二端に設置され、該安全スリーブは該外カバーの筒壁外に組み合わせ、
該凝血阻害剤貯蔵管は該針管保護カバーの内腔底部に設置され、さらに該２個の部品は該針台上に嵌設され、
その使用時には、該針管保護カバーの取り外しから採血の完了まで、該針管を抜く各プロセスにおいて、それぞれすべて自動廃棄方式で部品を取外し、採血器の使用基準を達成することができるほか、同時に各部品が再度組み合わされ再使用されることを防止可能で、またその該外カバー第二端は内空間と相互に通じる中空管及び該中空管周囲を包覆する円柱状リング体を備え、該円柱状リング体の内径には内ネジヤマ凸体を設置し、
該中区管と該円柱状リング体間には密封孔を備えた外カバー密封栓を組合せ、しかも該外カバー密封栓はその外径表面に設置する螺旋凹槽により、該内ネジヤマ凸体と螺合し、該密封孔は外力の作用を受けていない状態では、該密封孔は該外カバー密封栓そのものの弾性により封鎖し、こうして該針管を該密封孔に挿入する時、該密封孔により該針管を緊密に挟み密閉し、
さらにそれは、該針台の第一端に該外カバー密封栓外径と対応可能な内腔を設置し、第二端には該内腔と相互に通じる挿針孔を設置し、該針台の外径表面には複数の凹型導向台を設置し、該凹型導向台の上縦方向導向槽に連接し、該上縦方向導向槽の横方向導向槽に連接し、該横方向導向槽の下縦方向導向槽に連接し、該針台の外径表面には凸ブロックを設置し、該安全スリーブの貫通孔内壁面には第一端エッジから第二端に向かい延伸する導向槽、及び軸方向に延伸し該導向槽に通じる縦方向凹槽を設置し、該縦方向凹槽底面には穿孔を設置し、該穿孔内には突出した弾力片を設置し、
該針台に設置する凸ブロックは該安全スリーブの導向槽から縦方向凹槽に滑り入り、こうして該針台は該安全スリーブと軸方向に相対にスライド移動し、該弾力片により該針台が該安全スリーブを滑り出ることを阻止し、
この他、該針管保護カバー内に設置する係合ブロックは該凹型導向台に沿って該上縦方向導向槽、該横方向導向槽、該下縦方向導向槽に滑り入り、該針台が該針管保護カバーに入る深度を調整し、こうして該針管保護カバーは該針台に安定的に組み合わされ、
またそれは、該芯棒の第二端に近い位置には外径から中心に向かい延伸する複数の切槽を設置し、これにより使用後には該切槽より該芯棒を折り、該芯棒が回収され再使用されることを防止し、
加えてそれは、該外カバーの円柱状リング体外径表面に外凸リングを設置し、第一端に近い内径表面には内リング体凸台を設置し、
該針台の内腔は該外カバーの外凸リングと嵌合可能な環状凹槽を設置し、該暗円スリーブの貫通孔内径壁面には該凸リングと相互に嵌合可能な環状凹槽を設置し、
またそれは、凝血阻害剤貯蔵管を該針管保護カバーの内腔の底部に設置し、これにより該針管保護カバーにおいて該針台の方向に移動する時、該針管は該凝血阻害剤貯蔵管を刺し、凝血阻害剤を吸入することができる安全自動廃棄式採血器を提供する。
【課題を解決するための手段】
【０００６】
請求項１の考案は、芯棒、ゴム栓、外カバー、外カバー密封栓、針台、針管、安全スリーブ、凝血阻害剤貯蔵管及び針管保護カバーを含み、
該芯棒は相対する両端に位置する第一端と第二端を備え、
該ゴム栓は該芯棒の第二端に組み合わされ、
該外カバーは軸方向に延伸する管体を備え、該管体は相対する両端に位置する第一端と第二端を備え、該第一端は該第二端に向かい一定の深度延伸し、該ゴム栓と緊密に対応する内空間を形成し、該第二端は該内空間と相互に通じる中空管及び該中空管周囲を包覆する円柱状リング体を備え、該円柱状リング体の内径には内ネジヤマ凸体を設置し、
該外カバー密封栓は相対する両端に位置する第一端と第二端を備え、該第一端は該第二端に向かい軸方向に一定の深度延伸し、該外カバーの中空管に対応する内孔を形成し、該第二端には錘孔を設置し、該錘孔と該内孔の間は密封孔により連接し、外力の作用を受けていない状態では、該密封孔は該外カバー密封栓そのものの弾性により封鎖し、該外カバー密封栓の外径表面には該外カバーの内ネジヤマ凸体に組み合わせることができる螺旋凹槽を設置し、
該針台は相対する両端に位置する第一端と第二端を備え、該第一端は該第二端に向かい一定の深度延伸し、該外カバー密封栓の外径に対応する内腔を形成し、該第二端には該内腔と相互に通じる挿針孔を設置し、該針台の外径表面には複数の凹型導向管を設置し、上縦方向導向槽の横方向導向槽に連接し、該横方向導向槽の下縦方向導向槽に連接し、該針台の外径表面には凸ブロックを設置し、
該針管は該針台の挿針孔と該外カバー密封栓の密封孔の組合せに用い、
該安全スリーブは軸方向に一定の長さ延伸し、第一端と第二端を備える管体で、該管体は該第一端から第二端まで貫通する貫通孔を備え、該安全スリーブの貫通孔内径壁面には該第一端エッジから第二端に向かい延伸する導向槽を設置し、該安全スリーブの貫通孔の内壁面には軸方向に延伸し、かつ該針台の凸ブロックを導引可能な縦方向凹槽を設置し、しかも該縦方向凹槽と該導向槽は通じるが、該縦方向凹槽と該導向槽は深度が異なるため、両者間には階級を形成し、該縦方向凹槽は該第一端の端部に向かい穿孔を設置し、該穿孔内には該貫通孔中心方向に向かって突出する弾力片を設置し、該安全スリーブの第二端周囲には中心方向に向かい突出する内凸台を設置し、該内凸台が形成する内径は該針台の該各凸ブロックが構成する外径より小さく、
該針管保護カバーは軸方向に一定の長さ延伸し、第一端と第二端を備える管体で、該第一端は該第二端に向かい軸方向に一定の深度延伸し、内腔を形成し、該第一端には該針台外径に対応する凹孔を設置し、
該凝血阻害剤貯蔵管は該針管保護カバーの内腔底部に設置されることを特徴とする安全自動廃棄式採血器としている。
請求項２の考案は、請求項１記載の安全自動廃棄式採血器において、前記芯棒の該第二端に近い位置には外径から中心へと延伸する複数の切槽を設置し、該切槽から該芯棒を折ることができることを特徴とする安全自動廃棄式採血器としている。
請求項３の考案は、請求項１記載の安全自動廃棄式採血器において、前記外カバーの中空管の自由端には軸方向に一定の長さ延伸する錘状部を備えることを特徴とする安全自動廃棄式採血器としている。
請求項４の考案は、請求項３記載の安全自動廃棄式採血器において、前記外カバーの円柱状リング体の外径表面には外凸リングを設置し、第一端に近い内径表面には内環状体凸台を設置することを特徴とする安全自動廃棄式採血器としている。
請求項５の考案は、請求項１記載の安全自動廃棄式採血器において、前記外カバー密封栓の第二端には外錘面を設置することを特徴とする安全自動廃棄式採血器としている。
請求項６の考案は、請求項５記載の安全自動廃棄式採血器において、前記外カバー密封栓の内孔は第一端から第二端に向かい一定の長さの内円筒面を延伸後、該内円筒面において内錘面を連接することを特徴とする安全自動廃棄式採血器としている。
請求項７の考案は、請求項１記載の安全自動廃棄式採血器において、前記針台の凹型導向台と該上縦方向導向槽はY形状に連接し、しかも該上縦方向導向槽、該横方向導向槽、該下縦方向導向槽は≡形状に連接することを特徴とする安全自動廃棄式採血器としている。
請求項８の考案は、請求項７記載の安全自動廃棄式採血器において、前記挿針孔の外径表面と該針台本体の第二端との間には複数の翼片を連接することを特徴とする安全自動廃棄式採血器としている。
請求項９の考案は、請求項８記載の安全自動廃棄式採血器において、前記針台の内腔は第一端に位置する下端内壁、第二端に位置する上端内壁を設置し、該下端内壁の内径は該上端内壁の内径より大きく、しかも該下端内壁の表面には該外カバーの外凸リングと嵌合する環状凹槽を設置することを特徴とする安全自動廃棄式採血器としている。
請求項１０の考案は、請求項１記載の安全自動廃棄式採血器において、前記安全スリーブ第一端の貫通孔内径壁面には導向斜面を形成することを特徴とする安全自動廃棄式採血器としている。
請求項１１の考案は、請求項３記載の安全自動廃棄式採血器において、前記管体の第一端に近い外径表面には凸リングを設置し、しかも該安全スリーブの貫通孔内径壁面には該凸リングと相互に嵌合可能な環状凹槽を設置することを特徴とする安全自動廃棄式採血器としている。
請求項１２の考案は、請求項１記載の安全自動廃棄式採血器において、前記針管保護カバーの第二端には該内腔と相互に通じる空気孔を設置することを特徴とする安全自動廃棄式採血器としている。
請求項１３の考案は、請求項１２記載の安全自動廃棄式採血器において、前記針管保護カバーの凹孔と該内腔の連接位置の周辺には導角を形成することを特徴とする安全自動廃棄式採血器としている。
【考案の効果】
【０００７】
本考案の使用時には、該針管保護カバーの取り外しから採血の完了まで、該針管を抜く各プロセスにおいて、それぞれすべて自動廃棄方式で部品を取外し、採血器の使用基準を達成することができる。採血完了後は、安全装置により該針管を収蔵しさらに取外すことができ、こうして医療看護人員が針により刺傷し感染する恐れを払拭する。また安全装置の部品は取り外し後は再び該外カバーに設置不能で、こうして自動廃棄の機能を達成し、再使用の可能性を杜絶する。
【考案を実施するための最良の形態】
【０００８】
図１に示すように、本考案が提供する自動廃棄式採血器は芯棒１、ゴム栓２、外カバー３、外カバー密封栓４、針台５、針管６、安全スリーブ７、凝血阻害剤貯蔵管８、針管保護カバー９を含む。
図２に示すように、該芯棒１は相対する両端に位置する第一端と第二端を備え、該芯棒１の第二端には嵌ブロック１１を設置する。該芯棒１の該第二端に近い位置には外径から中心へと延伸する複数の切槽１２を設置し、使用者は該切槽１２から該芯棒１を便利に折ることができる。
【０００９】
図３に示すように、該ゴム栓２の最適実施例は弾力を備えたゴム材質により製造し、これによりその一端には該嵌ブロック１１に対応する嵌槽２２を備える。該ゴム栓２の外径表面には少なくとも１個の環状フランジ２１を設置する。該嵌槽２２と該嵌ブロック１１は相互に組合され、該ゴム栓２は該芯棒１の第二端に固定される。
図４に示すように、該外カバー３は軸方向に延伸する管体３３を備える。該管体３３は相対する両端に位置する第一端と第二端を備える。該第一端は該第二端に向かい一定の深度延伸し、該ゴム栓２と緊密に対応する内空間を形成する。該第二端は該内空間と相互に通じる中空管３１、該中空管３１周囲を包覆する円柱状環状体３２を備える。該円柱状環状体３２の内径には内ネジヤマ凸体３２１を設置する。該中空管３１の自由端には軸方向に一定の長さ延伸する錘状部３１１を備える。該円柱状環状体３２の外径表面には外凸リング３２２を設置し、該外カバー３の第一端に近い内径表面には内環状体凸台３３２を設置する。該管体３３の第一端に近い外径表面には少なくとも１個の凸リング３３１を設置することができる。
【００１０】
図５に示すように、該外カバー密封栓４は相対する両端に位置する第一端と第二端を備える。該第一端は該第二端に向かい軸方向に一定の深度延伸し、該外カバー３の中空管３１に対応する内孔を形成する。該第二端には錘孔４１を設置し、該錘孔４１と該内孔の間は密封孔４２により連接する。外力の作用を受けていない状態では、該密封孔４２は該外カバー密封栓４そのものの弾性により封鎖する。該外カバー密封栓４の外径表面には該外カバー３の内ネジヤマ凸体３２１に組み合わせることができる螺旋凹槽４６を設置する。さらに該外カバー密封栓４の第二端には外錘面４５を設置する。該外カバー密封栓４の内孔は第一端から第二端に向かい一定の長さの内円筒面４４を延伸後、該内円筒面４４において内錘面４３を連接し、これにより該中空管３１に対応する外形輪郭を構成する。
【００１１】
図６、７に示すように、該針台５の最適実施例では、相対する両端に位置する第一端と第二端を備え、該第一端は該第二端に向かい一定の深度延伸し、該外カバー密封栓４の外径に対応する内腔５４を形成する。
該第二端には該内腔５４と相互に通じる挿針孔５１を設置する。該挿針孔５１の外径表面と該針台５本体の第二端との間には複数の翼片５２を連接し、これにより該挿針孔５１はより高い強度を獲得することができる。
該針台５の外径表面には第二端に向かった複数の凹型導向管５３１を設置する。該凹型導向管５３１底端は上縦方向導向槽５３２の一端に通じ、該上縦方向導向槽５３２の反対端は横方向導向槽５３３の一端に通じる。該横方向導向槽５３３の反対端はさらに下縦方向導向槽５３４に通じる。
該凹型導向管５３１と該上縦方向導向槽５３２はY形状に連接し、しかも該上縦方向導向槽５３２、該横方向導向槽５３３、該下縦方向導向槽５３４は≡形状に連接する。
該針台５の第一端の外径表面には別に相対する両側に位置する２個の凸ブロック５３５を設置する。該針台５の内腔５４はさらに第一端に位置する下端内壁５４２、第二端に位置する上端内壁５４１を設置する。該下端内壁５４２の内径は該上端内壁５４１の内径より大きく、しかも該下端内壁５４２の表面には該外カバー３の外凸リング３２２と嵌合する環状凹槽５４２１を設置する。
該針管６は該針台５の挿針孔５１と該外カバー密封栓４の密封孔４２の組合せに用いる。
【００１２】
図８、９に示すように、該安全スリーブ７は軸方向に一定の長さ延伸し、第一端と第二端を備える管体である。該管体は該第一端から第二端まで貫通する貫通孔を備え、該第一端の貫通孔内径壁面には導向斜面７２２を形成し、該貫通孔内径壁面において該外カバー３の凸リング３３１と相互に嵌合する環状凹槽７２１を設置する。
該安全スリーブ７の貫通孔内壁面には該第一端エッジから第二端に向かい延伸する導向槽７２３を設置し、該安全スリーブ７の貫通孔の内壁面には軸方向に延伸し、かつ該針台５の凸ブロック５３５を導引可能な縦方向凹槽７２４を設置する。しかも、該縦方向凹槽７２４と該導向槽７２３は通じるが、該縦方向凹槽７２４と該導向槽７２３は深度が異なるため、両者間には階級７２４３を形成する。該縦方向凹槽７２４は該第一端の端部に向かい穿孔７２４２を設置し、該穿孔７２４２内には該貫通孔中心方向に向かって突出する弾力片７２４１を設置する。該安全スリーブ７の第二端周囲には中心方向に向かい突出する内凸台７１を設置し、該内凸台７１が形成する内径は該針台５の該各凸ブロック５３５が構成する外径より小さい。
【００１３】
図１０に示すように、該針管保護カバー９は軸方向に一定の長さ延伸し、第一端と第二端を備える管体である。該第一端は該第二端に向かい軸方向に一定の深度延伸し、内腔９３を形成する。該第一端には該針台５外径に対応する凹孔９３３を設置し、該凹孔９３３と該内腔９３の連接位置の周辺には導角９３２を形成し、該凹孔９３３の内径壁面には該針台５の上縦方向導向槽５３２、横方向導向槽５３３、下縦方向導向槽５３４に嵌入可能な係合ブロック９３３１を設置する。
該針管保護カバー９の第二端には該内腔９３と相互に通じる空気孔９２を設置し、該針管保護カバー９の外径表面には軸方向に延伸する複数の凸筋９１を設置する。該各凸筋９１は該針管保護カバー９に補強の機能を提供する。
該凝血阻害剤貯蔵管８は凝血阻害剤を貯蔵する管体で、該針管保護カバー９の内腔底部９３１に設置される。
【００１４】
次に本考案の組み立て方式を以下に説明する。
先ず該ゴム栓２を該芯棒１に組合せ(図１１参照)、次に組合せ後の部品を該外カバー３の内空間に嵌入する。該外カバー密封栓４は該外カバー３の中空管３１に係合し、該外カバー密封栓４を回し、これにより該螺旋凹槽４６と該外カバー３の内ネジヤマ凸体３２１は螺固される(図１２参照)。
さらに、該針管６を該針台５の挿針孔５１に挿入し(図１３参照)、さらに該針台５の内腔５４を該外カバー密封栓４に係合する。これにより該針台５の環状凹槽５４２１と該外カバー３の外凸リング３２２は相互に嵌合する(図１４参照)。
続いて、該内凸台７１が該針台５の凸ブロック５３５に接触するまで、該安全スリーブ７の第一端を該外カバー３の外面に嵌め、同時に該安全スリーブ７の環状凹槽７２１は該外カバー３の凸リング３３１に嵌合する(図１５参照)。
該凝血阻害剤貯蔵管８は該針管保護カバー９の内腔底部９３１に設置された後(図１６参照)、さらに該針管保護カバー９を該針台５外側に嵌める。その嵌合方式は以下の通りである。先ず、該針管保護カバー９の係合ブロック９３３１を該針台５の凹型導向管５３１に嵌入試、次に、該上縦方向導向槽５３２に沿って、底部と該横方向導向槽５３３の境界位置で底部まで滑らせ、止める。全体を組合せ後の構造は図１７、１８に示す。
【００１５】
続いて本考案の使用方式を以下に説明する。
先ず、該針管保護カバー９を回し、これにより該係合ブロック９３３１は該針台５の横方向導向槽５３３に沿って該下縦方向導向槽５３４の上端まで移動する。次に、該針管保護カバー９を下方へと押すと、該針管６は該凝血阻害剤貯蔵管８に刺さる(図１９参照)。さらに、該芯棒１を引き動かし、該ゴム栓２を該外カバー３に相対し移動させ、こうして凝血阻害剤は該外カバー３に排出され採血の準備が整う(図２０参照)。
この時、該針管保護カバー９を引き動かすと、該係合ブロック９３３１は該下縦方向導向槽５３４に沿って、上端と該横方向導向槽５３３の境界位置まで移動し、さらに該針管保護カバー９を回すと該係合ブロック９３３１は該横方向導向槽５３３に沿って該上縦方向導向槽５３２下端まで移動する。次に、該針管保護カバー９を取り出し、該針管６を露出させ(図２１参照)、該針管６は人体の血管に挿入することができ、該芯棒１を引き動かし、血液を該外カバー３の内空間に吸入し採血を完成する(図２２参照)。
【００１６】
採血完了後は、やや力を入れて該安全スリーブ７を引き動かすと、該安全スリーブ７の環状凹槽７２１は該外カバー３の凸リング３３１との嵌合から離脱する。該安全スリーブ７が該針管全体を包覆すると同時に、該縦方向凹槽７２４の下端が該針台５の凸ブロック５３５に接触したら、力を入れて該安全スリーブ７を抜き取り、また該針台５を該針管６と一緒に取外す(図２３参照)。
採血した血液を用いる時には、該外カバー密封栓４を該外カバー３から取外し、該中空管３１を露出する(図２４参照)。続いて、該中空管３１を該血液検査板１０の血液注入孔１０１に挿入し(図２５参照)、該芯棒１を押すと、該外カバー３の内空間中の血液は該血液注入孔１０１に押し出され、続いて血液貯蔵槽１０２に流れ込む。
【図面の簡単な説明】
【００１７】
【図１】本考案主要部品組合せ関係の立体図である。
【図２】本考案芯棒構造の平面断面図である。
【図３】本考案ゴム栓構造の平面断面図である。
【図４】本考案外カバー構造の平面断面図である。
【図５】本考案外カバー密封構造の平面断面図である。
【図６】本考案針台構造の立体図である。
【図７】本考案針台構造の平面断面図である。
【図８】本考案安全スリーブ構造の立体断面図である。
【図９】本考案安全スリーブ構造の平面断面図である。
【図１０】本考案針管保護カバー構造の平面断面図である。
【図１１】本考案芯棒とゴム栓組合せ後の構造の平面断面図である。
【図１２】本考案芯棒、ゴム栓、外カバーと外カバー密封栓組合せ後の構造の平面断面図である。
【図１３】本考案針管と針台組合せ後の構造の平面断面図である。
【図１４】本考案芯棒、ゴム栓、外カバー、外カバー密封栓、針台と針管組合せ後の構造の平面断面図である。
【図１５】本考案芯棒、ゴム栓、外カバー、外カバー密封栓、針台、針管と安全スリーブ組合せ後の構造の平面断面図である。
【図１６】本考案針管保護カバーと凝血阻害剤貯蔵管組合せ後の構造の平面断面図である。
【図１７】本考案の全体組合せ完成後の構造の平面断面図である。
【図１８】本考案の全体組合せ完成後の構造の立体図である。
【図１９】本考案の使用時に、先ず針管を凝血阻害剤貯蔵管に挿入する状態の表示図である。
【図２０】図１９の操作手順後に、芯棒を軸方向に移動させ、凝血阻害剤を吸い出す状態の表示図である。
【図２１】図２０の操作手順後に、針管保護カバーを取外し、採血の準備をする状態の表示図である。
【図２２】本考案の採血器に血液をいっぱいに採血した状態の表示図である。
【図２３】図２２の操作手順後に、針管を安全スリーブ内に収蔵し、針管を外カバー密封栓から抜く状態の表示図である。
【図２４】図２３の操作手順後に、外カバー密封栓を取り外した状態の表示図である。
【図２５】本考案の採血器内の血液を血液検査板内に注入する状態の表示図である。
【符号の説明】
【００１８】
１  芯棒
１１  嵌ブロック
１２  切槽
２  ゴム栓
２１  環状フランジ
２２  嵌槽
３  外カバー
３１  中空管
３１１  錘状部
３１２  円管
３２  円柱状環状体
３２１  内ネジヤマ凸体
３２２  外凸リング
３３  管体
３３１  凸リング
３３２  内環状体凸台
４  外カバー密封栓
４１  錘孔
４２  密封孔
４３  内錘面
４４  内円筒面
４５  外錘面
４６  螺旋凹槽
５  針台
５１  挿針孔
５２  翼片
５３  中空柱状体
５３１  凹型導向管
５３２  上縦方向導向槽
５３３  横方向導向槽
５３４  下縦方向導向槽
５３５  凸ブロック
５４  内腔
５４１  上端内壁
５４２  下端内壁
５４２１  環状凹槽
６  針管
７  安全スリーブ
７１  内凸台
７２  内壁
７２１  環状凹槽
７２２  導向斜面
７２３  導向槽
７２４  縦方向凹槽
７２４１  弾力片
７２４２  穿孔
７２４３  階級
８  凝血阻害剤貯蔵管
９  針管保護カバー
９１  凸筋
９２  空気孔
９３  内腔
９３１  内腔底部
９３２  導角
９３３  凹孔
９３３１  係合ブロック
１０  血液検査板
１０１  血液注入孔
１０２  血液貯蔵槽
【図１】
0003129186.tif 000003
【図２】
0003129186.tif 000004
【図３】
0003129186.tif 000005
【図４】
0003129186.tif 000006
【図５】
0003129186.tif 000007
【図６】
0003129186.tif 000008
【図７】
0003129186.tif 000009
【図８】
0003129186.tif 000010
【図９】
0003129186.tif 000011
【図１０】
0003129186.tif 000012
【図１１】
0003129186.tif 000013
【図１２】
0003129186.tif 000014
【図１３】
0003129186.tif 000015
【図１４】
0003129186.tif 000016
【図１５】
0003129186.tif 000017
【図１６】
0003129186.tif 000018
【図１７】
0003129186.tif 000019
【図１８】
0003129186.tif 000020
【図１９】
0003129186.tif 000021
【図２０】
0003129186.tif 000022
【図２１】
0003129186.tif 000023
【図２２】
0003129186.tif 000024
【図２３】
0003129186.tif 000025
【図２４】
0003129186.tif 000026
【図２５】
0003129186.tif 000027